(57)【要約】      （修正有）【課題】構成部材の大部分を汎用部品とし、十分な設置安定性を確保するスタンションを提供する。【解決手段】パラペット２の内側面２ａに沿って配設され、第１の支持部８を介してパラペットの内側面に支持される内柱単管３と、パラペットの外側面２ｂに沿って配置され、第２の支持部９を介してパラペットの外側面に支持される外柱単管４と、パラペットの上面２ｃに沿って配置され、第３の支持部１０を介してパラペットの上面に支持される横架単管５と、横架単管５を内柱単管３および外柱単管４に対してそれぞれ直交した状態で結合する直交クランプ７とを備える。第１乃至第３の支持部８〜１０は、単管３〜５に外嵌された筒部１９と、パラペット２に直接的または間接的に当接される当接面を有する、筒部１９に設けられた当接部と、筒部１９を貫通して先端部が単管８〜１０を押圧可能なように、筒部１９に設けられた雌ねじ部に螺着されたボルト２１を含む。【選択図】図１
0003202009.tif 000002
【実用新案登録請求の範囲】
【請求項１】
立ち上がり壁の内側面に沿って配設され、第１の支持部を介して前記立ち上がり壁の内側面に支持される内柱単管と、
前記立ち上がり壁の外側面に沿って配置され、第２の支持部を介して前記立ち上がり壁の外側面に支持される外柱単管と、
前記立ち上がり壁の上面に沿って配置され、第３の支持部を介して前記立ち上がり壁の上面に支持される横架単管と、
前記横架単管を前記内柱単管および前記外柱単管に対してそれぞれ直交した状態で結合する直交クランプと、
を備えるスタンションであって、
前記第１〜第３の支持部は、
前記単管に外嵌された筒部と、
前記立ち上がり壁に直接的または間接的に当接される当接面を有する、前記筒部に固設された当接部と、
前記筒部を貫通して先端部が前記単管を押圧可能なように、前記筒部に設けられた雌ねじ部に螺着されたボルトと、
を含む、
ことを特徴とするスタンション。
【請求項２】
請求項１に記載のスタンションにおいて、
前記内柱単管は、その下端に直角に配設されたベース板および該ベース板の下面に貼り付けられた可撓性シートを介して床面に接地され、
前記第１〜第３の支持部の当接面は、可撓性シートを介して前記立ち上がり壁に当接される、
ことを特徴とするスタンション。
【請求項３】
請求項１又は２に記載のスタンションにおいて、
前記第２の支持部が有する前記ボルトはアイボルトであり、当該アイボルトは、連結索を介して、前記横架単管、前記内柱単管又はこれらに固定された固定物に繋がれており、
前記外柱単管の下端部には、前記第２の支持部の筒部の落下を係止する突起部が設けられている、
ことを特徴とするスタンション。
【考案の詳細な説明】
【技術分野】
【０００１】
本考案は、工事作業者の安全を図るためにパラペット等の立ち上がり壁に設置されるスタンション（仮設用の支柱装置）に関する。
【背景技術】
【０００２】
この種の技術は、例えば特許文献１〜４に開示されている。これらの文献に開示されたスタンションは、何れもパラペットに固定されるコ字状のフレームと、該フレームから上方に延びた柱とを備えている。
【先行技術文献】
【特許文献】
【０００３】
【特許文献１】実用新案登録第３１７８７８１号公報
【特許文献２】実用新案登録第３１８０６９６号公報
【特許文献３】実用新案登録第３１８６８６４号公報
【特許文献４】実用新案登録第３１９００３８号公報
【考案の概要】
【考案が解決しようとする課題】
【０００４】
特許文献１〜４に開示されたスタンションを構成するコ字状のフレーム、柱等の部材は、専らスタンションのために製作された専用部材である。このため、大量生産でもしない限り、スタンションの製造コストを低く抑えることは困難である。
【０００５】
本考案は、かかる実情に鑑みて創案されたものであり、構成部材の大部分を汎用部品とすることが可能なスタンションを提供することを目的とする。
【課題を解決するための手段】
【０００６】
本考案に係るスタンションは、立ち上がり壁の内側面に沿って配設され、第１の支持部を介して前記立ち上がり壁の内側面に支持される内柱単管と、前記立ち上がり壁の外側面に沿って配置され、第２の支持部を介して前記立ち上がり壁の外側面に支持される外柱単管と、前記立ち上がり壁の上面に沿って配置され、第３の支持部を介して前記立ち上がり壁の上面に支持される横架単管と、前記横架単管を前記内柱単管および前記外柱単管に対してそれぞれ直交した状態で結合する直交クランプと、を備え、前記第１〜第３の支持部は、前記単管に外嵌された筒部と、前記立ち上がり壁に直接的または間接的に当接される当接面を有する、前記筒部に固設された当接部と、前記筒部を貫通して先端部が前記単管を押圧可能なように、前記筒部に設けられた雌ねじ部に螺着されたボルトと、を含む、ことを特徴とするものである。
【０００７】
かかる構成を備えるスタンションの単管、直交クランプ、ボルト、アイボルト、連結索、ベース板および可撓性シートには、安価にて市販されている汎用部品を使用することができる。このため、本考案に係るスタンションによれば、製造コストを低く抑えることが可能となる。また、本考案に係るスタンションは、第１〜第３の支持部により、立ち上がり壁の内側面、外側面および上面に対して支持される３点支持構造を備えるため、高い設置安定性を確保することが可能となる。
【０００８】
前記構成を備えるスタンションにおいて、前記内柱単管は、その下端に直角に配設されたベース板および該ベース板の下面に貼り付けられた可撓性シートを介して床面に接地され、前記第１〜第３の支持部の当接面は、可撓性シートを介して前記立ち上がり壁に当接されるもの、とすることが望ましい。
【０００９】
かかる構成を備えるスタンションは、内柱単管がベース板および可撓性シールを介して床面に接地されるため、前記３点支持構造に加えて、床面にも支持される４点支持構造を備えるものとなる。このため、更に高い設置安定性を確保することが可能となる。また、ベース板の下面と、当接部の当接面に可撓性シートが貼り付けられているため、立ち上がり壁の表面や床面に傷がつきにくくなるという利点もある。
【００１０】
前記何れかの構成を備えるスタンションにおいて、前記第２の支持部が有する前記ボルトはアイボルトであり、当該アイボルトは、連結索を介して、前記横架単管、前記内柱単管又はこれらに固定された固定物に繋がれており、前記外柱単管の下端部には、前記第２の支持部の筒部の落下を係止する突起部が設けられている、ものとすることが望ましい。
【００１１】
かかる構成を備えるスタンションによれば、アイボルトが連結索により繋がれているため、アイボルトが折れたり、抜けたりして落下しても地上まで落下することは阻止される。また、直交クランプの締め付け不十分等により、外柱単管が直交クランプから抜け落ちても、アイボルトがしっかりと締め付けられている限り、外柱単管は、第２の支持部、アイボルトを介して連結索に繋がれているため、地上まで落下することは阻止される。また、外柱単管の下端部に、前記突起部が設けられているため、アイボルトの締め付け不十分等により、第２の支持部が降下しても、前記突起部により降下が係止されるため、当該第２の支持部が外柱単管から抜け落ちて地上に落下することは阻止される。
【考案の効果】
【００１２】
本考案に係るスタンションによれば、構成部材の大部分を汎用部品とすることができ、しかも、高い設置安定性を確保することが可能となる。
【図面の簡単な説明】
【００１３】
【図１】本考案の実施形態に係るスタンションをパラペットの長手方向から視た図である。
【図２】本考案の実施形態に係るスタンションをパラペットの内側から視た図である。
【図３】直交クランプの説明図である。
【図４】（ａ）は第１〜第３の支持部の部分断面図である。（ｂ）は第１〜第３の支持部を単管の挿通方向から視た図である。
【図５】本考案の実施形態に係るスタンションの組み付け手順の一部を示す図である。
【考案を実施するための形態】
【００１４】
以下、本考案の実施形態に係るスタンションについて説明する。なお、本実施形態においては建物の屋上のパラペット（立ち上がり壁）に設置されるスタンションを例に挙げて説明する。
【００１５】
図１および図２は、本考案の実施形態に係るスタンション１をパラペット２に２台設置し、これらに単管パイプからなる手すり６（桟）を架設した状態を示す図である。図示するように、各スタンション１は、内柱単管３、外柱単管４、横架単管５、直交クランプ７、第１〜第３の支持部８〜１０等で構成されている。
【００１６】
内柱単管３は、単管パイプからなり、屋上の床面１２に立設され、パラペット２の内側面２ａに沿って配設されている。この内柱単管３は、後に詳述する第１の支持部８を介してパラペット２の内側面２ａに支持されている。内柱単管３の下端には、当該内柱単管３の長手方向に対して直角にベース板１３が設けられている。本実施形態では、ベース板１３として、内柱単管３の下端部内に挿入された筒体１４と一体に設けられたものが採用されている。また、ベース板１３の下面には可撓性シート１６が貼り付けられている。可撓性シート１６は、屋上の床面１２の防水処理を傷つけないことを目的として設けられており、その材料として、例えば、ゴム製シート、樹脂製シート等が使用される。
【００１７】
外柱単管４は、単管パイプからなり、パラペット２の外側面２ｂに沿って配設されている。この外柱単管４は、横架単管５に直交クランプ７を介して固定され、後に詳述する第２の支持部９を介してパラペット２の外側面２ｂに支持されている。また、外柱単管４の下端部には、第２の支持部９の落下を係止する突起部１７が設けられている。この突起部１７は、例えば、外柱単管４の下端部に外柱単管４の直径寸法よりも長いピン１８を貫通させ、当該ピン１８を外柱単管４に溶接することにより設けることができる。
【００１８】
横架単管５は、単管パイプからなり、パラペット２の上面に沿って配置されている。この横架単管５は、後に詳述する第３の支持部１０を介して当該パラペット２の上面２ｃに支持されている。また、横架単管５は、２つの直交クランプ７により、一方が内柱単管３に対して直交状態で結合され、他方が外柱単管４に対して直交状態で結合されている。なお、直交クランプ７には、例えば図３に示すように、２個のクランプ７ａ，７ｂが単管の支持方向を互いに直交させた状態で相対回転不能に結合されてなる周知のものを使用することができる。各クランプ７ａ，７ｂの単管への固定はナット２９を締め付けることにより行われる。
【００１９】
第１〜第３の支持部８〜１０は、図４に示すように、筒部１９、当接部２０、ボルト２１等で構成されている。この図４では、ボルト２１として六角ボルト２１Ａを図示しているが、第２の支持部９の場合、図４において、六角ボルト２１Ａの代わりにアイボルト２１Ｂ（図１参照）が設けられる。
【００２０】
筒部１９は、単管３〜５に対してスライド自在に外嵌される。また、筒部１９には、貫通孔１９ａが形成されており、その貫通孔１９ａの外側にナット２２が溶接されることにより雌ねじ部２２ａが設けられている。この雌ねじ部２２ａには、筒部１９を貫通して、先端部が単管３〜５を押圧可能なボルト２１が螺着されている。つまり、ボルト２１を締め付けることで、ボルト２１の先端部が単管３〜５を押圧し、これにより、第１〜第３の支持部８〜１０が単管３〜５に対してスライド不能に固定される。
【００２１】
当接部２０は、当接板２４、連結板２５等で構成されている。当接板２４は連結板２５を介して筒部１９に固定されている。当接板２４は、その当接面２４ａに貼り付けられた可撓性シート２６を介してパラペット２の各面２ａ〜２ｃに当接される。可撓性シート２６としては、パラペット２の表面を傷つけない材料、例えばゴム製シート、樹脂製シート等が使用される。
【００２２】
第１および第３の支持部８，１０のボルト２１には、六角ボルト２１Ａが使用されているが、第２の支持部９のボルト２１には、既述したようにアイボルト２１Ｂが使用されている。このアイボルト２１Ｂは、図１に示すように、連結索２８を介して、横架単管５に固定された第３の支持部１０に繋がれている。連結索２８として例えばチェーン、ロープ、紐等を採用することができるが、その機能を果たすものであれば、連結索２８に使用される物はそれらに限定されない。本実施形態では、アイボルト２１Ｂは連結索２８により第３の支持部１０に繋がれているが、アイボルト２１Ｂを繋ぐ場所は、外柱単管４と横架単管５とを結合する直交クランプ７のナット２９の締め忘れ等により落下するおそれのある外柱単管４等以外の場所であればよい。例えば、横架単管５、内柱単管３又はこれらに固定された固定物に繋がれていればよい。
【００２３】
以上の構成を備えるスタンション１をパラペット２に設置するに当たっては、先ず、単管３〜５を直交クランプ７を用いて組み上げる。このとき、内柱単管３と外柱単管４との離間距離をパラペットの厚さ寸法より若干大きくしておく。また、ベース板１３から第３の支持部１０の当接面２４ａまでの高さと、床面１２からパラペット２の上面２ｃまでの高さとを略一致させておく。また、横架単管５と内柱単管３とを結合する直交クランプ７の横架単管５側のクランプのナット２９は、後に緩める必要があるため、強く締め付けないことが望ましい。
【００２４】
次に、組み上げた単管３〜５において、第１〜第３の支持部８〜１０をパラペット２の各面２ａ〜２ｃの適所に当たる位置に配置し、各ボルト２１を締め付ける。また、連結索２８により、アイボルト２１Ｂと横架単管５に取り付けられた第３の支持部１０とを繋ぐ。
【００２５】
次に、図５（ａ）に示すように、組み上げたスタンション１を上からパラペット２上に設置し、図５（ｂ）の状態にする。
【００２６】
最後に、内柱単管３をパラペット２の内側面２ａの方に押し付けながら、横架単管５を手前に引いて、横架単管５と内柱単管３とを結合する直交クランプ７の横架単管５側のクランプのナット２９を十分に締め付ける。
【００２７】
以上の手順により、１台のスタンションがパラペット２に設置される。更に別のスタンション１をパラペット２に設置する場合は、先に設置したスタンション１から離れた場所で上述の手順を繰り返して設置し、これらのスタンション１に、直交クランプ７を用いて手すり６（桟）を設置する。
【００２８】
以上の構成を備える本考案の実施形態に係るスタンション１によれば、次の（１）〜（５）の作用効果ないし安全性が得られる。
【００２９】
（１）本考案の実施形態に係るスタンション１は、単管３〜５、直交クランプ７、六角ボルト２１Ａ、アイボルト２１Ｂ、連結索２８（チェーン等）、ベース板１３および可撓性シート１６，２６で構成部材の大部分が占められ、当該構成部材は、安価にて市販されている汎用部品である。このため、スタンション１によれば、製造コストを低く抑えることができる。
【００３０】
（２）本考案の実施形態に係るスタンション１は、第１〜第３の支持部８〜１０によりパラペット２に支持され、ベース板１３により、床面１２に支持される４点支持構造となっている。このため、スタンション１によれば、高い設置安定性を確保することが可能である。
【００３１】
（３）本考案の実施形態に係るスタンション１では、ベース板１３の下面と、支持部８〜９の当接板２４の下面に可撓性シート１６，２６が貼り付けられているため、床面１２やパラペット２の表面に傷がつきにくい。
【００３２】
（４）本考案の実施形態に係るスタンション１では、アイボルト２１Ｂが連結索２８により繋がれているため、アイボルト２１Ｂが折れたり、抜けたりして落下しても地上まで落下することはない。また、直交クランプ７のナット２９の締め付け不十分等により、外柱単管４が直交クランプ７から抜け落ちても、アイボルト２１Ｂがしっかりと締め付けられている限り、外柱単管４は、第２の支持部９、アイボルト２１Ｂを介して連結索２８に繋がれているため、地上まで落下することはない。
【００３３】
（５）本考案の実施形態に係るスタンション１では、外柱単管４の下端部に、第２の支持部９の筒部１９の落下を係止する突起部１７が設けられているため、アイボルト２１Ｂの締め付け不十分等により、第２の支持部９が降下しても、突起部１７により降下が係止されるため、当該第２の支持部９が外柱単管４から抜け落ちて地上に落下することはない。
【００３４】
＜他の実施形態＞
既述した可撓性シート１６，２６を設ける必要がなければ、省略してもよい。
【００３５】
図１および図２に示す例では、パラペット２に複数のスタンション１を設置し、スタンション１の内柱単管３に直交クランプ７を使用して手すり６（桟）を取り付けているが、内柱単管３として更に長いものを使用し、使用する直交クランプ７を更に追加するだけで、手すり６を上下２段以上に設置することも可能である。
【００３６】
既述した実施形態における手すり６（桟）に代えて、綱、ワイヤ、柵等をスタンション１の内柱単管３に取り付けることも当然に可能である。
【産業上の利用可能性】
【００３７】
本考案は、例えば、パラペットスタンションに適用可能である。
【符号の説明】
【００３８】
１      スタンション
２      パラペット（立ち上がり壁）
２ａ    内側面
２ｂ    外側面
２ｃ    上面
３      内柱単管
４      外柱単管
５      横架単管
７      直交クランプ
８      第１の支持部
９      第２の支持部
１０    第３の支持部
１３    ベース板
１６    可撓性シート
１７    突起部
１９    筒部
１９ａ  貫通孔
２０    当接部
２１    ボルト
２１Ａ  六角ボルト
２１Ｂ  アイボルト
２２ａ  雌ねじ部
２４    当接板
２４ａ  当接面
２６    可撓性シート
２８    連結索
【図１】
0003202009.tif 000003
【図２】
0003202009.tif 000004
【図３】
0003202009.tif 000005
【図４】
0003202009.tif 000006
【図５】
0003202009.tif 000007